(57)【要約】      （修正有）【課題】臭いなどの化学物質の吸着作用、遠赤外線放射による保温作用、マイナスイオンの発生作用、等を有する編物及び袋体を提供する。【解決手段】ポリエステル製の繊維内に微粉砕された炭が分散されてなる炭含有繊維Ｋ１と、ポリエステル製の合成繊維Ｋ２と、が編み込まれてシート状に形成された編物Ｋであって、一方の面側の炭含有繊維Ｋ１の露出面積が、他方の面側の炭含有繊維Ｋ１の露出面積より大きい。【選択図】図３
0003226112.tif 000002
【実用新案登録請求の範囲】
【請求項１】
繊維内に微粉砕された炭が分散されてなる炭含有繊維と、合成繊維と、が編み込まれてシート状に形成された編物であって、
一方の面側の前記炭含有繊維の露出面積が、他方の面側の前記炭含有繊維の露出面積より大きいことを特徴とする編物。
【請求項２】
請求項１の編物からなる袋体であり、
前記一方の面が前記袋体の内面とされ、前記他方の面が外面とされていることを特徴とする袋体。
【請求項３】
前記請求項１の編物が、網状に形成され、
炊飯用ネット、又は、こし網として用いられることを特徴とする請求項２記載の袋体。
【考案の詳細な説明】
【技術分野】
【０００１】
本考案は、炭含有繊維を用いた編物及び袋体に関するものである。
【背景技術】
【０００２】
従来の調理用袋として特許文献１に記載されるものがあり、これによれば、透水性及び耐熱性を有する材料で形成されたシート状物を縫合して形成され、上端が開口幅を底部幅と同一又はそれ以上とする開口とされ、底部が閉塞するように形成されていた。
【０００３】
これにより、米とぎと炊飯の両方に使用可能で、かつ、取り扱い性が良好なものとなっていた。
【先行技術文献】
【特許文献】
【０００４】
【特許文献１】実用新案登録第３０３５１７２号公報
【考案の概要】
【考案が解決しようとする課題】
【０００５】
しかし、上記の編物を使用した調理用袋では、品質が劣化した古米や臭いの強い輸入米を調理するときに対応することが出来ないおそれがあったので、臭いなどの化学物質の吸着作用、遠赤外線放射による保温作用、マイナスイオンの発生作用、等を有する炭を利用して、おいしく調理できるようにすることが望まれていた。
【０００６】
本考案は、上記事情に鑑み、臭いなどの化学物質の吸着作用、遠赤外線放射による保温作用、マイナスイオンの発生作用、等を有する編物及び袋体を提供することを目的とする。
【課題を解決するための手段】
【０００７】
請求項１記載の考案では、繊維内に微粉砕された炭が分散されてなる炭含有繊維と、合成繊維と、が編み込まれてシート状に形成された編物であって、
一方の面側の前記炭含有繊維の露出面積が、他方の面側の前記炭含有繊維の露出面積より大きい。
【０００８】
これによれば、例えば、炊飯ネット、ふきん、風呂敷等に適用して、臭いなどの化学物質の吸着作用、遠赤外線放射による保温作用、マイナスイオンの発生作用等を有する編物として使用することができる。さらに、炭含有繊維の露出面積が大きい一方の面側に食品等を収容することで、上記効果を向上させることができる。
【０００９】
また、請求項１の編物からなる袋体であり、前記一方の面が前記袋体の内面とされ、前記他方の面が外面とされている。
【００１０】
これによれば、炭含有繊維の露出面積が大きい内面側に食品等を収容することになるので、上記効果を奏することに寄与する。
【００１１】
また、前記請求項１の編物が、網状に形成され、炊飯用ネット、又は、こし網として用いられる。
【００１２】
これによれば、炊飯、又はスープ、だし、取るときに好適な袋体とすることができる。
【図面の簡単な説明】
【００１３】
【図１】本考案の一実施形態としての炊飯ネットの斜視図である。
【図２】編物の外面側の説明図である。
【図３】編物の内面側の説明図である。
【考案を実施するための形態】
【００１４】
本考案の編物及び袋体の一実施形態について図面に基づいて説明する。
【００１５】
袋体としての炊飯ネット１０は、図１に示すとおり、一端に開口する開口部１１を有し、他端に閉塞した底壁部１２を有し、開口部１１から底壁部１２に向かって形成された周壁部１３、を備えて構成される。
【００１６】
開口部１１付近は、筒状に形成され、内部に紐部材１４が挿通され、開口部１１を閉塞可能とされている。
【００１７】
周壁部１３の開口部１１側の部分、周壁部１３の底壁部１２側の部分、には持ち手１５がそれぞれ二つずつ取り付けられている。
【００１８】
炊飯ネット１０を構成する編物Ｋは、ポリエステル製の繊維内に微粉砕された炭が分散されてなる炭含有繊維Ｋ１と、ポリエステル製の合成繊維Ｋ２と、が編み込まれて形成されている。本実施形態では、ラッセル編みにより網状に編み込まれている。
【００１９】
なお、本明細書における「シート状」とは、メッシュ、網目状のもののみではなく、編み目の詰まったシート状のものも含むものとする。
【００２０】
本発明の要部を説明すると、編物Ｋは、図２、３に示すように、炊飯ネット１０の内面１０ｂ側（一方の面側）の炭含有繊維Ｋ１の露出面積が、炊飯ネット１０の外面１０ａ側（他方の面側）の炭含有繊維Ｋ１の露出面積より大きくなるように編み込まれている。
【００２１】
炊飯ネット１０の使用態様を説明する。米が入れられて紐部材１４で開口部１１を閉塞させた炊飯ネット１０を、炊飯器内に入れて米を炊く。
【００２２】
このとき、炭含有繊維Ｋ１により、臭いなどの化学物質の吸着作用、遠赤外線放射による保温作用、マイナスイオンの発生作用等により、おいしい米を炊くことができる。
【００２３】
編物Ｋは、図２、３に示すように、内面１０ｂ側の炭含有繊維Ｋ１の露出面積が、外面１０ａ側の炭含有繊維Ｋ１の露出面積より大きくなるように編み込まれているので、炭含有繊維Ｋ１の露出面積が大きい内面１０ｂ側に食品等を収容することになるため、上記効果を向上させることになる。
【００２４】
米が炊き上がったら、炊飯ネット１０ごと炊飯器から取り出し、紐部材１４で開口部１１を開放させて、炊き上がったご飯を保温器等に移す。
【００２５】
上記構成の考案では、ポリエステル製の繊維内に微粉砕された炭が分散されてなる炭含有繊維Ｋ１と、ポリエステル製の合成繊維Ｋ２と、が編み込まれてシート状に形成された編物であって、
一方の面側の炭含有繊維Ｋ１の露出面積が、他方の面側の炭含有繊維Ｋ１の露出面積より大きい。
【００２６】
これによれば、臭いなどの化学物質の吸着作用、遠赤外線放射による保温作用、マイナスイオンの発生作用等を有する編物として使用することができる。さらに、炭含有繊維Ｋ１の露出面積が大きい一方の面側に食品等を収容することで、上記効果を向上させることができる。
【００２７】
また、編物Ｋからなる袋体としての炊飯ネット１０であり、一方の面が炊飯ネット１０の内面１０ｂとされ、他方の面が外面１０ａとされている。
【００２８】
これによれば、炭含有繊維Ｋ１の露出面積が大きい内面１０ｂ側に食品等を収容することになるので、上記効果を奏することに寄与する。
【００２９】
また、編物Ｋが、網状に形成され、炊飯用ネットとして用いられる。
【００３０】
これによれば、炊飯に好適な袋体としての炊飯ネット１０とすることができる。
【００３１】
本考案の編物Ｋ及び袋体は上記構成に限定されるものではない。即ち、本考案の要旨を逸脱しない限り各種の設計変更等が可能である。以下に、変形した態様を例示する。
【００３２】
例えば、編物、袋体の他の態様として、ふきん、風呂敷等の網状でない、編み目の詰まった布地のような態様とすることも可能である。
【００３３】
また、スープ、だし等を取るときの、こし網に適用することも可能である。
【００３４】
また、編体を編み込む方法は、一方の面と、他方の面の炭含有繊維Ｋ１の露出面積を異ならせることができるのであれば、ラッセル編み以外の、例えば、トリコット編み等の他の編み方を適用することができる。
【００３５】
また、炭含有繊維Ｋ１、合成繊維Ｋ２を構成する素材としては、本考案の要旨を逸脱しない限り、ポリエステル以外の素材を適宜用いることができる。
【符号の説明】
【００３６】
１０  炊飯ネット
１０ａ  外面
１０ｂ  内面
Ｋ  編物
Ｋ１  炭含有繊維
Ｋ２  合成繊維
【図１】
0003226112.tif 000003
【図２】
0003226112.tif 000004
【図３】
0003226112.tif 000005